(57)【要約】【課題】利便性が高く消費電力が軽減される携帯端末と電子機器とを含む通信システム。【解決手段】状態変化を示す状態変化情報を携帯端末（１、１ａ）に送信し、当該携帯端末からの応答に応じて特定の通信部（短距離通信部１１２）を有効にし、携帯端末（１、１ａ）との通信を確立する電子機器。状態変化情報を受信し、当該情報の受信に応じて応答を送信し、所定の通信部（第２の無線通信部２１２）を有効にする携帯端末。【選択図】図１
2015211437.tif 000002
【特許請求の範囲】
【請求項１】
通信方式の異なる第１の無線通信部と第２の無線通信部とを備えた電子機器であって、
上記電子機器の状態変化を検出する検出手段と、
上記状態変化の検出に応じて、上記状態変化が生じたことを示す状態変化情報を特定の携帯端末に上記第１の無線通信部を用いて送信する送信手段と、
上記状態変化情報に対する応答を上記特定の携帯端末から上記第１の無線通信部を用いて受信する受信手段と、
上記応答の受信に応じて、上記第１の無線通信部を無効化すると共に上記第２の無線通信部を有効化する切替え手段と、
上記第２の無線通信部の有効化に応じて、上記第２の無線通信部を用いた無線通信のための通信接続を上記携帯端末との間に確立する確立する確立手段と、を備えていることを特徴とする電子機器。
【請求項２】
上記第１の無線通信部は、上記第２の無線通信部を用いた無線通信よりも通信エリアの広い長距離無線通信を行うものであり、
上記第２の無線通信部は、上記第１の無線通信部を用いた無線通信よりも通信エリアの狭い短距離無線通信を行うものである、ことを特徴とする請求項１に記載の電子機器。
【請求項３】
上記状態変化は、当該電子機器に作用する圧力の変化である、ことを特徴とする請求項１または２に記載の電子機器。
【請求項４】
上記状態変化は、当該電子機器の加速度の変化である、ことを特徴とする請求項１または２に記載の電子機器。
【請求項５】
上記送信手段が上記状態変化情報を送信してから予め定められた時間内に上記受信手段が上記応答を受信しなかった場合、上記送信手段は、上記状態変化情報を上記特定の携帯端末に上記第１の無線通信部を用いて再送信する、ことを特徴とする請求項１から４の何れか１項に記載の電子機器。
【請求項６】
通信方式の異なる第１の無線通信部と第２の無線通信部とを備えた携帯端末であって、
電子機器において状態変化が生じたことを示す状態変化情報を上記第１の無線通信部を用いて上記電子機器から受信する受信手段と、
上記状態変化情報の受信に応じて、上記状態変化情報に対する応答を上記第１の無線通信部を用いて上記電子機器に送信する送信手段と、
上記状態変化情報の受信に応じて、上記第１の無線通信部を無効化すると共に上記第２の無線通信部を有効化する切替え手段と、を備えていることを特徴とする携帯端末。
【請求項７】
上記送信手段が上記応答を送信してから予め定められた時間内に上記第２の無線通信部を用いた無線通信のための通信接続が上記電子機器との間に確立されなかった場合、
上記切替え手段は上記第１の無線通信部を有効化すると共に、上記第２の無線通信部を無効化にし、
上記送信手段は、上記応答を上記電子機器に上記第１の無線通信部を用いて再送信する、ことを特徴とする請求項６に記載の携帯端末。
【請求項８】
上記状態変化情報の受信に応じて上記第１の無線通信部が無効化された後に、上記第１の無線通信部を利用するアプリケーションが起動された場合、上記切替え手段は、上記第１の無線通信部を再有効化する、ことを特徴とする請求項６または７に記載の携帯端末。
【請求項９】
請求項１から５の何れか１項に記載の電子機器と、請求項７または８に記載の携帯端末とを含むことを特徴とする通信システム。
【請求項１０】
通信方式の異なる第１の無線通信部と第２の無線通信部とを備えた電子機器の制御方法であって、
上記電子機器の状態変化を検出する検出ステップと、
上記状態変化の検出に応じて、上記状態変化が生じたことを示す状態変化情報を特定の携帯端末に上記第１の無線通信部を用いて送信する送信ステップと、
上記状態変化情報に対する応答を上記特定の携帯端末から上記第１の無線通信部を用いて受信する受信ステップと、
上記応答の受信に応じて、上記第１の無線通信部を無効化すると共に上記第２の無線通信部を有効化する切替えステップと、
上記第２の無線通信部の有効化に応じて、上記第２の無線通信部を用いた無線通信のための通信接続を上記携帯端末との間に確立する確立する確立ステップと、を含んでいることを特徴とする電子機器の制御方法。
【請求項１１】
通信方式の異なる第１の無線通信部と第２の無線通信部とを備えた携帯端末の制御方法であって、
電子機器において状態変化が生じたことを示す状態変化情報を上記第１の無線通信部を用いて上記電子機器から受信する受信ステップと、
上記状態変化情報の受信に応じて、上記状態変化情報に対する応答を上記第１の無線通信部を用いて上記電子機器に送信する送信ステップと、
上記状態変化情報の受信に応じて、上記第１の無線通信部を無効化すると共に上記第２の無線通信部を有効化する切替えステップと、を含んでいることを特徴とする携帯端末の制御方法。
【発明の詳細な説明】
【技術分野】
【０００１】
本発明は、電子機器、通信端末、および当該電子機器と当該通信端末とを含む通信システムに関する。
【背景技術】
【０００２】
通信方式の異なる複数の無線通信部を備えた携帯端末が広く用いられている。例えば、現在市場に流通しているスマートフォンの多くは、Ｗｉ−Ｆｉ（登録商標）用の無線通信部とＢｌｕｅｔｏｏｔｈ（登録商標）用の無線通信部とを備えている。
【０００３】
このような携帯端末においては、各無線通信部を必要に応じてユーザが手動で有効化／無効化することができる。例えば、他の電子機器との間でファイル転送等のデータ通信を行うときにのみＢｌｕｅｔｏｏｔｈ（登録商標）用の無線通信部を有効化するといった使い方をすれば、携帯端末の消費電力を削減することができる。また、複数の動作モードを有する携帯端末においては、動作モードの切り替えに連動して各無線通信部が自動的に有効化／無効化される。例えば、ユーザが動作モードを機内モード（Airplane Mode）に切り替えると、Ｗｉ−Ｆｉ用の無線通信部とＢｌｕｅｔｏｏｔｈ用の無線通信部とが自動的に無効化される。
【０００４】
また、特許文献１には、端末利用環境の変化に応じて最適な動作モードに切り替えることが可能な移動通信端末及び動作モード切替方法が開示されている。詳細には当該移動通信端末は、時刻情報を取得する時刻情報取得部と、近接機器を検出する近距離無線部と、切替指示の受付に応じて動作モードを切り替える切替制御部と、動作モードの切替に関する切替履歴情報を、時刻情報と近接機器に関する機器情報とを含んで格納する切替履歴情報格納部とを備えている。上記切替制御部は、切替履歴情報格納部から読み出した切替履歴情報に含まれる時刻情報及び機器情報が、時刻情報取得部によって取得される時刻情報、及び近距離無線部によって検出される機器情報に対応していると判定した場合に、切替履歴情報に従って動作モードを切り替える。
【先行技術文献】
【特許文献】
【０００５】
【特許文献１】特開2010-245632
【発明の概要】
【発明が解決しようとする課題】
【０００６】
特許文献１に記載の技術は、動作モードを切り替えるための技術であり、消費電力の削減については十分に考慮されていない。したがって、特許文献１に記載の技術を利用して無線通信手段の切り替えを行ったとしても、動作モードが切り替わるまでは、全ての通信部が有効な状態に保たれ、消費電力が高くなってしまうという問題を生じる。
【０００７】
また、特許文献１に記載の移動通信端末においては、時刻情報と機器情報とを切替履歴情報として内蔵記憶媒体に蓄積する構成が採用されている。このため、この内蔵記憶媒体においてユーザデータを格納するために利用可能な容量が減ってしまうという問題を生じる。また、特許文献１に記載の移動通信端末においては、近接機器が検出される度に、新たに取得／検出された時刻情報／機器情報と蓄積された時刻情報／機器情報とを比較する構成が採用されている。この比較処理のためにＣＰＵ等の計算資源の一部が消費されてしまうので、これらの計算資源を用いて実行し得るプロセスの数が減ってしまい、場合によっては移動通信端末の動作が遅くなるといった問題を生じる。
【０００８】
本発明は上記の問題点に鑑みてなされたものであり、その目的は、利便性が高く消費電力が低減される携帯端末、電子機器、および、当該携帯端末と電子機器を含む通信システムを実現することにある。
【課題を解決するための手段】
【０００９】
上記の課題を解決するために、本発明の一態様に係る電子機器は、通信方式の異なる第１の無線通信部と第２の無線通信部とを備えた電子機器であって、上記電子機器の状態変化を検出する検出手段と、上記状態変化の検出に応じて、上記状態変化が生じたことを示す状態変化情報を特定の携帯端末に上記第１の無線通信部を用いて送信する送信手段と、上記状態変化情報に対する応答を上記特定の携帯端末から上記第１の無線通信部を用いて受信する受信手段と、上記応答の受信に応じて、上記第１の無線通信部を無効化すると共に上記第２の無線通信部を有効化する切替え手段と、上記第２の無線通信部の有効化に応じて、上記第２の無線通信部を用いた無線通信のための通信接続を上記携帯端末との間に確立する確立する確立手段と、を備えている。
【００１０】
また、本発明の一態様に係る電子機器の制御方法は、通信方式の異なる第１の無線通信部と第２の無線通信部とを備えた電子機器の制御方法であって、上記電子機器の状態変化を検出する検出ステップと、上記状態変化の検出に応じて、上記状態変化が生じたことを示す状態変化情報を特定の携帯端末に上記第１の無線通信部を用いて送信する送信ステップと、上記状態変化情報に対する応答を上記特定の携帯端末から上記第１の無線通信部を用いて受信する受信ステップと、上記応答の受信に応じて、上記第１の無線通信部を無効化すると共に上記第２の無線通信部を有効化する切替えステップと、上記第２の無線通信部の有効化に応じて、上記第２の無線通信部を用いた無線通信のための通信接続を上記携帯端末との間に確立する確立する確立ステップとを含んでいる。
【００１１】
また、本発明の一態様に係る携帯端末は、通信方式の異なる第１の無線通信部と第２の無線通信部とを備えた携帯端末であって、電子機器において状態変化が生じたことを示す状態変化情報を上記第１の無線通信部を用いて上記電子機器から受信する受信手段と、上記状態変化情報の受信に応じて、上記状態変化情報に対する応答を上記第１の無線通信部を用いて上記電子機器に送信する送信手段と、上記状態変化情報の受信に応じて、上記第１の無線通信部を無効化すると共に上記第２の無線通信部を有効化する切替え手段と、を備えている。
【００１２】
また、本発明の一態様に係る携帯端末の制御方法は、通信方式の異なる第１の無線通信部と第２の無線通信部とを備えた携帯端末の制御方法であって、電子機器において状態変化が生じたことを示す状態変化情報を上記第１の無線通信部を用いて上記電子機器から受信する受信ステップと、上記状態変化情報の受信に応じて、上記状態変化情報に対する応答を上記第１の無線通信部を用いて上記電子機器に送信する送信ステップと、上記状態変化情報の受信に応じて、上記第１の無線通信部を無効化すると共に上記第２の無線通信部を有効化する切替えステップと、を含んでいる。
【発明の効果】
【００１３】
本発明の一態様によれば、電子機器および携帯端末の利便性を高めることができ、消費電力を低減することができる。
【図面の簡単な説明】
【００１４】
【図１】実施形態１の通信システムの要部構成の一例を示すブロック図である。
【図２】実施形態１の携帯端末の処理の流れの一例を示すフローチャートである。
【図３】実施形態１の電子機器の処理の流れの一例を示すフローチャートである。
【図４】実施形態２の携帯端末の要部構成の一例を示すブロック図である。
【図５】実施形態２の携帯端末の処理の流れの一例を示すフローチャートである。
【図６】実施形態２の携帯端末の処理の流れの他の一例を示すフローチャートである。
【図７】実施形態２の携帯端末の処理の流れのさらに他の一例を示すフローチャートである。
【発明を実施するための形態】
【００１５】
〔実施形態１〕
本発明の一実施形態について図１から図３に基づいて説明すると以下の通りである。
【００１６】
本実施形態に係る通信システム３について図１を用いて説明する。
【００１７】
図１は、本実施形態に係る通信システム３の要部構成の一例を示すブロック図である。
【００１８】
通信システム３は、携帯端末１と電子機器２とを含んでいる。
【００１９】
携帯端末１は、例えば、スマートフォンやタブレットＰＣ等の端末装置である。携帯端末１は、電子機器２からのデータを受信する。当該データは、例えば、電子機器２が測定したデータ、生成したデータ、集計したデータ等が挙げられるが、当該データの種類は特に限定されない。
【００２０】
本実施形態に係る電子機器２は、例えば、体重計等の測定器である。
【００２１】
本実施形態においては、電子機器２を用いて測定した測定結果を、短距離無線通信を用いて携帯端末１に送信する構成を例示する。
【００２２】
なお、電子機器２は体重計に限定されず、携帯端末１に任意のデータを送信するものであればよい。なお、電子機器２が体重計以外の電子機器である場合についての例示の詳細は、後述する。
【００２３】
また、本実施形態においては、１つの携帯端末１と１つの電子機器２とを含む通信システムについて例示しているが、電子機器の数は１つに限らず、任意の数としてもよい。
【００２４】
（携帯端末１）
次に、携帯端末１について詳細に説明する。図１に示すように、携帯端末１は、通信部１１、制御部１２、データ格納部１３およびタイマー１４を備えている。
【００２５】
（通信部１１）
通信部１１は、外部機器と無線通信をするものである。通信部１１は、通信方式の異なる２つの無線通信部、すなわち、長距離通信部（第１の無線通信部）１１１と短距離通信部（第２の無線通信部）１１２とを備えている。
【００２６】
長距離通信部１１１は、通信エリアが後述する短距離無線通信よりも広い長距離無線通信を用いて外部機器と通信を行う。長距離通信部１１１が従う通信方式としては、例えば、Ｗｉ-Ｆｉ（登録商標）等が挙げられる。
【００２７】
短距離通信部１１２は、通信エリアが上述した長距離無線通信よりも狭い短距離無線通信を用いて外部機器と通信を行う。短距離通信部１１２が従う通信方式としては、例えば、Ｂｌｕｅｔｏｏｔｈ（登録商標）等が挙げられる。
【００２８】
なお、本実施形態に係る通信部１１は、携帯端末１の電源がＯＮになると、長距離通信部１１１が有効な状態（ＯＮ）となり、短距離通信部１１２が無効な状態（ＯＦＦ）となる。
【００２９】
（制御部１２）
制御部１２は、記憶部から一時記憶部（不図示）に読み出されたプログラムを実行することにより、各種の演算を行うと共に、携帯端末１が備える各部を統括的に制御するものである。本実施形態では、制御部１２は、機能ブロックとして、受信部（受信手段）１２１、送信部（送信手段）１２２、通信ＯＮ／ＯＦＦ切替え部（切替え手段）１２３、通信状態判定部（通信状態判定手段）１２４を備えている構成である。
【００３０】
受信部１２１は、通信部１１（長距離通信部１１１または短距離通信部１１２）を用いて、電子機器２から送信された各種データを受信する。
【００３１】
例えば、電子機器２の状態変化が生じたことを示す状態変化情報を、長距離無線通信部１１１を用いて受信する。
【００３２】
受信部１２１は、状態変化情報の受信に応じて、上記状態変化情報を受信したことを示す応答（以下、「受信情報」と記載）を、長距離通信部１１１を用いて電子機器２に送信することを、送信部１２２に指示する。
【００３３】
また、受信部１２１は状態変化情報の受信に応じて、受信情報の送信後に、長距離通信部１１１をＯＦＦにし、状態変化情報の受信までＯＦＦであった短距離通信部１１２のＯＮにするよう通信ＯＮ／ＯＦＦ切替え部１２３に指示する。
【００３４】
また、受信部１２１は電子機器２から送信されたデータの保存の要否を判別し、保存が必要と判別したデータを、データ格納部１３に格納してもよい。
【００３５】
送信部１２２は、通信部１１（長距離通信部１１１または短距離通信部１１２）を用いて、各種データを電子機器２に送信する。
【００３６】
例えば、送信部１２２は、上記状態変化情報を受信した受信部１２１からの指示に応じて、長距離通信部１１１を用いて、受信情報を電子機器２に送信する。
【００３７】
また、後述する通信状態判定部１２４からの指示を受信し、長距離通信部１１１を用いて受信情報を再送信する。
【００３８】
通信ＯＮ／ＯＦＦ切替え部１２３は、長距離通信部１１１および／または、短距離通信部１１２を有効状態または無効状態（ＯＮ／ＯＦＦ）に切り替える。
【００３９】
詳細に説明すると、通信ＯＮ／ＯＦＦ切替え部１２３は、受信部１２１および通信状態判定部１２４の指示を受信し、当該指示に従って、長距離通信部１１１、および／または、短距離通信部１１２のＯＮ／ＯＦＦを切り替える。
【００４０】
例えば、通信部１１は、長距離通信部１１１および短距離通信部１１２に対する電力の供給を制御する電力供給制御部（図示せず）を備えていてもよい。通信ＯＮ／ＯＦＦ切替え部１２３は、当該電力供給制御部に電力の供給先を指示することによって、長距離通信部１１１および短距離通信部１１２のＯＮ／ＯＦＦを切り替える構成であってもよい。
【００４１】
通信状態判定部１２４は、受信情報の送信後に上記電子機器２との通信が確立したか否かを判定する。詳細に説明すると、通信状態判定部１２４は通信部１１の通信状態を監視しており、受信情報の送信後に上記電子機器２との通信が確立していないと判定した場合、受信情報の送信から予め設定した時間が経過したか否かを判定する。
【００４２】
例えば、通信状態判定部１２４は、送信部１２２から受信情報を送信した時刻を示す情報を受信し、受信情報の送信時刻からの経過時間を、タイマー１４を参照して計測する。通信状態判定部１２４は、受信情報の送信から予め設定した時間内に電子機器２と短距離通信部１１２との通信が確立していないと判定した場合、通信ＯＮ/ＯＦＦ切替え部１２３に長距離通信部１１１をＯＮにし、短距離通信部１１２をＯＦＦにすることを指示する。なお、予め設定した時間とは、任意の時間でよいが、例えば、１分間であってもよい。さらに、通信状態判定部１２４は送信部１２２に、長距離通信部１１１を用いて受信情報を再送信することを指示する。
【００４３】
また、通信状態判定部１２４は、電子機器２と短距離通信部１１２との通信が確立された後、通信部１１の通信状態を監視し、当該通信が終了したか否かを判定する。通信状態判定部１２４は当該通信が終了したと判定すると、長距離通信部１１１をＯＮにし、短距離通信部１１２をＯＦＦにするように、通信ＯＮ/ＯＦＦ切替え部１２３に指示する。
【００４４】
（データ格納部１３）
データ格納部１３は、例えば、電子機器２から受信したデータのうち、例えば、受信部１２１が、保存が必要と判別したデータを格納する。
【００４５】
（タイマー１４）
タイマー１４は、特定の時間からの経過時間を計測するものである。
【００４６】
（携帯端末１の制御部１２の処理の流れ）
次に、本実施形態に係る携帯端末１の制御部１２の処理の流れについて説明する。図２は制御部１２の処理の流れの一例を示すフローチャートである。
【００４７】
図２に示すように、携帯端末１の電源がＯＮになると（ステップＳ１）、携帯端末１は電子機器２からの通信を待ち受ける。携帯端末１の長距離通信部１１１は有効（ＯＮ）となっており、短距離通信部１１２は無効（ＯＦＦ）となっている（ステップＳ２）。
【００４８】
次に、受信部１２１が電子機器２の状態変化情報を受信すると（ステップＳ３：受信ステップ）、受信部１２１は、状態変化情報の受信に応じて、受信情報を、長距離通信部１１１を用いて電子機器２に送信するように送信部１２２に指示する。
【００４９】
次に、受信情報は電子機器２に送信される（ステップＳ５：送信ステップ）。また、送信部１２２は、受信情報を送信した時刻を示す情報を通信状態判定部１２４に送信する。
【００５０】
受信情報の送信後に、受信部１２１は長距離通信部１１１をＯＦＦにし、短距離通信部１１２をＯＮにするように、通信ＯＮ／ＯＦＦ切替え部１２３に指示する。通信ＯＮ／ＯＦＦ切替え部１２３は、当該指示に従って通信部１１のＯＮ／ＯＦＦを切り替える（ステップＳ６：切替えステップ）。
【００５１】
次に、通信状態判定部１２４は、受信情報の送信後に電子機器２との通信が確立したか否かを判定する（ステップＳ７）。
【００５２】
電子機器２との通信が確立したと判定した場合（ステップＳ７においてＹＥＳ）、電子機器２から送信されるデータを受信する（ステップＳ８）。
【００５３】
電子機器２からのデータの受信開始後、通信状態判定部１２４は、通信部１１の通信状態を監視し、当該通信が終了したか否かを判定する。通信状態判定部１２４は電子機器２との通信が終了したと判定すると（ステップＳ９）、通信状態判定部１２４は、長距離通信部１１１をＯＮにし、短距離通信部１１２をＯＦＦにするように通信ＯＮ/ＯＦＦ切替え部１２３に指示する。通信ＯＮ/ＯＦＦ切替え部１２は、当該指示に従って、通信部１１のＯＮ／ＯＦＦを切り替える（ステップＳ１０）。その後、ステップＳ２へ移行する。
【００５４】
なお、通信状態判定部１２４が、電子機器２との通信が確立していないと判定した場合（ステップＳ７においてＮＯ）、通信状態判定部１２４は、受信情報の送信から予め設定した時間が経過したか否かを判定する（ステップＳ１１）。通信状態判定部１２４が、受信情報の送信から予め設定した時間が経過したと判定した場合（ステップＳ１１においてＹＥＳ）、通信状態判定部１２４は、通信ＯＮ/ＯＦＦ切替え部１２３に、長距離通信部１１１をＯＮにし、短距離通信部１１２をＯＦＦにするように指示する。通信ＯＮ/ＯＦＦ切替え部１２３は当該指示に従って、通信部１１のＯＮ／ＯＦＦを切り替える（ステップＳ１２）。通信部１１のＯＮ／ＯＦＦが切り替えられた後、通信状態判定部１２４は、受信情報を、長距離通信部１１１を用いて電子機器２に送信することを、送信部１２２に指示する。その後、ステップＳ５へ移行する。
【００５５】
また、通信状態判定部１２４が、受信情報の送信から予め設定した時間が経過していないと判定した場合（ステップＳ１１においてＮＯ）、ステップＳ７に移行する。
【００５６】
（電子機器２）
次に、電子機器２について詳細に説明する。図１に示すように、電子機器２は、通信部２１、制御部２２、センサ２３、タイマー２４および電力供給部２５を備えている。
【００５７】
（通信部２１）
通信部２１は、外部機器と通信をするものである。通信部２１は、長距離通信部（第１の無線通信部）２１１と短距離通信部（第２の無線通信部）２１２とを備えている。
【００５８】
長距離通信部２１１は、上記長距離通信部１１１と同様な構成であり、短距離通信部２１２は、上記短距離通信部１１２と同様な構成であるためここでの説明を省略する。
【００５９】
なお、本実施形態に係る通信部２１は、電子機器２の電源がＯＮになると、長距離通信部２１１が有効な状態（ＯＮ）であり、短距離通信部２１２が無効な状態（ＯＦＦ）である。
【００６０】
（制御部２２）
制御部２２は、記憶部（不図示データ）から一時記憶部（不図示）に読み出されたプログラムを実行することにより、各種の演算を行うと共に、電子機器２が備える各部を統括的に制御するものである。本実施形態では、制御部２２は、機能ブロックとして、状態変化検出部（検出手段）２２１、通信制御部（確立手段）２２０、通信ＯＮ／ＯＦＦ切替え部（切替え手段）２２４および通信状態判定部２２５を備えている構成である。
【００６１】
状態変化検出部２２１は、センサ２３から受信した信号に基づいて、電子機器２の状態変化を検出する。状態変化検出部２２１の詳細な説明をする前に、センサ２３について説明する。
【００６２】
本実形態に係るセンサ２３は、圧力センサであり、電子機器２に対する圧力値の変化を検出する。例えば、センサ２３は、電子機器２の電源ボタン（図示せず）に配置されている。すなわち、ユーザが電子機器２の電源をＯＮにするために、当該電源ボタンに接触すると、センサ２３は圧力値の変化を検出する。なお、圧力センサの配置位置については、電源ボタンに限らない。例えば、上述したように本実施形態に係る電子機器２は体重計であり、体重計の上面にセンサ２３を配置してもよい。上記の構成によれば、ユーザが体重計に乗ることで、センサ２３は電子機器２に対する圧力値の変化を検出する。圧力値の変化を検出すると、センサ２３は、圧力値の変化を示す信号（センサ情報）を状態変化検出部２２１に送信する。
【００６３】
状態変化検出部２２１は、例えば、センサ２３から受信したセンサ情報が示す圧力値の変化量が、予め設定した閾値を超えているか否かを判定してもよい。状態変化検出部２２１は圧力値の変化量が所定の閾値を超えている場合に、圧力値が変化したことを検出する構成であってもよい。状態変化検出部２２１は、センサ情報から圧力値の変化（電子機器２の状態変化）を検出すると、長距離通信部２１１を用いて当該状態変化を示す状態変化情報を、携帯端末１に、送信するように送信部２２２に指示する。
【００６４】
通信制御部２２０は、送信部（送信手段）２２２と受信部（受信手段）２２３とを備えている。
【００６５】
また、通信制御部２２０は、携帯端末１との通信の確立および切断を行なう。
【００６６】
送信部２２２は、通信部２１（長距離通信部２１１または短距離通信部２１２）を用いて、各種データを携帯端末１に送信する。
【００６７】
例えば、送信部２２２は、電子機器２の状態変化を検出した状態変化検出部２２１からの指示に応じて、長距離通信部２１１を用いて、状態変化情報を携帯端末１に送信する。
【００６８】
また、送信部２２２は、後述する受信部２２３の指示に応じて、長距離通信部２１１を用いて状態変化情報を携帯端末１に再送信する。
【００６９】
また、送信部２２２は、後述する通信状態判定部２２５から携帯端末１との通信が確立したことを示す信号を受信し、短距離通信部２１２を用いて携帯端末１へデータ（送信データ）を送信する。ここでいう送信データとは、例えば、体重計である電子機器２が計測した体重、体脂肪率、内蔵脂肪レベル、筋肉量、基礎代謝量、体内年齢、ＢＭＩ（Body Mass Index）、推定骨量、体水分率等のデータである。
【００７０】
受信部２２３は、通信部２１からデータを受け付けて携帯端末１から受信情報を受信する。 
【００７１】
例えば、受信部２２３は状態変化情報の送信から予め定められた時間内に受信情報を受信したと判別すると、長距離通信部２１１をＯＦＦにし、受信情報を受信するまでＯＦＦであった短距離通信部２１２をＯＮにするように、通信ＯＮ／ＯＦＦ切替え部２２４に指示する。また、受信部２２３は、送信部２２２から状態変化情報を送信した時刻を示す情報を受信し、状態変化情報の送信時刻からの経過時間を、タイマー２４を参照して計測してもよい。なお、予め定められた時間とは、任意の時間でよいが、例えば、１分間であってもよい。
【００７２】
さらに、受信部２２３が状態変化情報の受信情報を受信すると、通信制御部２２０は、短距離通信部２１２を用いて携帯端末１との通信を確立する。
【００７３】
受信部２２３が、状態変化情報の送信から予め定められた時間内において受信情報を受信したと判別しなかった場合、受信部２２３は、長距離通信部２１１を用いた状態変化情報の携帯端末１への再送信を、送信部２２２に指示する。
【００７４】
通信ＯＮ／ＯＦＦ切替え部２２４は、長距離通信部２１１および／または、短距離通信部２１２のＯＮ／ＯＦＦを切り替える。
【００７５】
詳細に説明すると、通信ＯＮ／ＯＦＦ切替え部２２４は、受信部２２３の指示を受信し、当該指示に従って、長距離通信部２１１、および／または、短距離通信部２１２のＯＮ／ＯＦＦを切り替える。
【００７６】
通信状態判定部２２５は、携帯端末１との通信の確立を判定する。通信状態判定部２２５は、当該通信が確立したと判定すると、当該通信が確立したことを示す信号を、送信部２２２に送信する。
【００７７】
また、通信状態判定部２２５は、携帯端末１への送信データの送信の終了を判定する。送信データの終了を判定すると、電子機器２の電源をＯＦＦにする。詳細に説明すると、通信状態判定部２２５は携帯端末１と短距離通信部２１２との通信が確立された後、通信部２１の通信状態を監視し、当該通信が終了したか否かを判定する（上記送信データの送信が終了したか否かを判定する。）。通信状態判定部２２５は当該通信が終了したと判定すると、通信制御部２２０に指示し、携帯端末１との通信を切断する。次に、電子機器２の電源をＯＦＦにする。
【００７８】
例えば、図１に示すように、通信状態判定部２２５は、電子機器２の各構成部に電力を供給する電力供給部２５の電力供給を制御することによって、電子機器２の電源をＯＦＦにしてもよい。
【００７９】
（タイマー２４）
タイマー２４は、特定の時間からの経過時間を計測するものである。
【００８０】
（電力供給部２５）
電力供給部２５は、通信部２１、制御部２２、状態変化検出部２２１、センサ２３、タイマー２４等の電子機器２の構成部に電力を供給する。
【００８１】
（電子機器２の制御部２２の処理の流れ）
次に、本実施形態１に係る電子機器２の制御部２２の処理の流れについて説明する。図３は制御部２２の処理の流れの一例を示すフローチャートである。
【００８２】
図３に示すように、電子機器２の電源がＯＮになると、電子機器２の長距離通信部２１１はＯＮとなり、短距離通信部２１２はＯＦＦとなる（ステップＳ２１）。
【００８３】
次に、状態変化検出部２２１は、センサ２３から受信したセンサ情報に基づいて、電子機器２の状態変化を検出する（ステップＳ２２：検出ステップ）。
【００８４】
状態変化検出部２２１は、長距離通信部２１１を用いて状態変化情報を、携帯端末１に、送信するように送信部２２２に指示する。送信部２２２は、当該指示に従って、状態変化情報を送信する（ステップＳ２４：送信ステップ）。また、送信部２２２は、状態変化情報の送信時刻を受信部２２３に送信する。
【００８５】
次に、受信部２２３は、携帯端末１から受信情報を受信したか否かを判別する（ステップＳ２５：受信ステップ）。
【００８６】
受信部２２３が受信情報を受信したと判定した場合（ステップＳ２５においてＹＥＳ）、受信部２２３は、長距離通信部２１１をＯＦＦにし、短距離通信部２１２をＯＮにするように、通信ＯＮ／ＯＦＦ切替え部２２４に指示する。
【００８７】
通信ＯＮ／ＯＦＦ切替え部２２４は、当該指示に従って、通信部２１のＯＮ／ＯＦＦを切り替える（ステップＳ２６：切替えステップ）。
【００８８】
受信部２２３が、通信ＯＮ／ＯＦＦ切替え部２２４に対する指示を送信後、通信制御部２２０は、短距離通信部２１２を用いた携帯端末１との通信を確立する。（ステップＳ２７）。
【００８９】
次に、送信部２２２は、送信データを送信する（ステップＳ２８）。
【００９０】
通信状態判定部２２５は、送信データの送信が終了したか否かを判定し、送信データの送信が終了したと判定すると、通信制御部２２０に指示することによって、携帯端末１との通信を切断する（ステップＳ２９）。
【００９１】
次に、通信状態判定部２２５は、電子機器２の電源をＯＦＦにする（ステップＳ３０）。
【００９２】
なお、受信部２２３が受信情報を受信していないと判定した場合（ステップＳ２５においてＮＯ）、受信部２２３は、状態変化情報の送信の時刻から予め設定した時間が経過したか否かを判定する（ステップＳ３１）。受信部２２３が、予め設定した時間が経過したと判定した場合（ステップＳ３１においてＹＥＳ）、受信部２２３は、状態変化情報を、長距離通信部１１１を用いて電子機器２に再送信することを、送信部１２２に指示する。その後、ステップＳ２４へ移行する。
【００９３】
また、受信部２２３が、予め設定した時間が経過していないと判定した場合（ステップＳ３１においてＮＯ）、ステップＳ２５に移行する。
【００９４】
〔実施形態２〕
本発明の他の実施形態について、図４および５に基づいて説明すれば、以下のとおりである。なお、説明の便宜上、前記実施形態にて説明した部材と同じ機能を有する部材については、同じ符号を付記し、その説明を省略する。本実施形態に係る携帯端末１ａの構成について図４に示す機能ブロック図を参照して説明する。
【００９５】
図４に示すように、携帯端末１ａは、上記実施形態１の、携帯端末１が備える各部材に加えアプリ（第１通信関連アプリ）１５を備えている。また、携帯端末１は制御部１２に代わり制御部１２ａを備えている。制御部１２ａは制御部１２が備える各部材に加えアプリ監視部（アプリ監視手段）１２５を備えている。
【００９６】
アプリ１５は、長距離通信部１１１に関連するアプリケーションである。長距離通信部１１１に関連するアプリケーションとは、例えば、長距離通信部１１１を用いてデータ通信を行うアプリケーション、インターネットブラウジングを行なうアプリケーション、サーバーとデータのやりとりを行なうアプリケーションなどである。
【００９７】
アプリ監視部１２５は、アプリ１５の起動を検出し、アプリ１５の起動を判定する。詳細に説明すると、電子機器２と短距離通信部１１２との通信が確立されている場合において、アプリ監視部１２５はアプリ１５の起動を検出する。次に、アプリ監視部１２５は、長距離通信部１１１をＯＮにするように、通信ＯＮ/ＯＦＦ切替え部１２３に指示する。本実施形態に係る通信ＯＮ/ＯＦＦ切替え部１２３は、当該指示に従って、通信部１１のＯＮ/ＯＦＦを切り替える。
【００９８】
また、アプリ監視部１２５は、アプリ１５の終了を検出する。アプリ監視部１２５は、アプリ１５の終了を検出すると、アプリ１５の終了を示すアプリ終了情報を通信状態判定部１２４に送信する。本実施形態に係る通信状態判定部１２４は、アプリ終了情報を受信すると、電子機器２との通信が終了したかを判定する。通信状態判定部１２４は、当該判定に基づき、長距離通信部１１１または短距離通信部１１２をＯＦＦにするように、通信ＯＮ/ＯＦＦ切替え部１２３に指示する。
【００９９】
詳細に説明すると、通信状態判定部１２４はアプリ終了情報を受信し、電子機器２との通信が終了したと判定した場合、短距離通信部１１２をＯＦＦにするように、通信ＯＮ/ＯＦＦ切替え部１２３に指示する。一方で、電子機器２との通信が終了していないと判定した場合、長距離通信部１１１をＯＦＦにするように、通信ＯＮ/ＯＦＦ切替え部１２３に指示する。本実施形態に係る通信ＯＮ/ＯＦＦ切替え部１２３は、当該指示に従って、通信部１１のＯＮ/ＯＦＦを切り替える。
【０１００】
また、本実施形態に係る通信状態判定部１２４は、電子機器２と短距離通信部１１２との通信が確立された後、通信部１１の通信状態を監視し、当該通信が終了したか否かを判定する。通信状態判定部１２４が、当該通信が終了したと判定した場合は、実施形態１に係る通信状態判定部１２４と同様の処理を行う。一方、当該通信が終了していないと判定すると、アプリ監視部１２５にアプリ１５の起動を監視するように指示する。
【０１０１】
（携帯端末１ａの制御部１２ａの処理の流れ）
次に、本実施形態に係る携帯端末１ａの制御部１２ａの処理の流れについて説明する。図５は制御部１２の処理の流れの一例を示すフローチャートである。ここでは実施形態１の制御部１２の処理の流れと同様の処理については説明を省略する。
【０１０２】
ステップＳ８に続いて、通信状態判定部１２４は、通信部１１の通信状態を監視し、電子機器２と短距離通信部１１２との通信が終了したか否かを判定する。当該通信が終了していないと判定すると（ステップＳ１３においてＮＯ）、通信状態判定部１２４はアプリ監視部１２５にアプリ１５の起動を監視するように指示する。次に、通信アプリ起動処理（ステップＳ４０）に移行する。
【０１０３】
なお、通信状態判定部１２４が、当該通信が終了したと判定すると（ステップＳ１３においてＹＥＳ）、ステップＳ１０に移行する。
【０１０４】
次に、本実施形態に係る携帯端末１ａの制御部１２ａの通信アプリ起動処理の流れについて説明する。
【０１０５】
図６の（ａ）は、通信アプリ起動処理の流れの一例を示すフローチャートである。
【０１０６】
アプリ監視部１２５はアプリ１５の起動を判定する（ステップＳ４１）。アプリ監視部１２５が、アプリ１５が起動したと判定した場合（ステップＳ４１においてＹＥＳ）、アプリ監視部１２５は、長距離通信部１１１をＯＮにするように、通信ＯＮ/ＯＦＦ切替え部１２３に指示する。
【０１０７】
通信ＯＮ/ＯＦＦ切替え部１２３は、当該指示に従って、通信部１１のＯＮ/ＯＦＦを切り替える（ステップＳ４２）。
【０１０８】
アプリ監視部１２５は、アプリ１５の起動を検出すると、次に、アプリ１５の終了を判定する（ステップＳ４３）。アプリ監視部１２５がアプリ１５の終了を判定すると（ステップＳ４３においてＹＥＳ）、アプリ終了情報を通信状態判定部１２４に送信する。
【０１０９】
アプリ終了情報を受信すると、通信状態判定部１２４は電子機器２との通信が終了したかを判定する（ステップＳ４４）。
【０１１０】
通信状態判定部１２４が、電子機器２との通信が終了したと判定した場合（ステップＳ４４においてＹＥＳ）、短距離通信部１１２をＯＦＦにするように、通信ＯＮ/ＯＦＦ切替え部１２３に指示する。
【０１１１】
通信ＯＮ/ＯＦＦ切替え部１２３は、当該指示に従って、通信部１１のＯＮ/ＯＦＦを切り替える（ステップＳ４５）。
【０１１２】
また、通信状態判定部１２４が電子機器２との通信が終了していないと判定した場合（ステップＳ４４においてＮＯ）、長距離通信部１１１をＯＦＦにするように、通信ＯＮ/ＯＦＦ切替え部１２３に指示する。
【０１１３】
通信ＯＮ/ＯＦＦ切替え部１２３は、当該指示に従って、通信部１１のＯＮ/ＯＦＦを切り替える（ステップＳ４６）。
【０１１４】
なお、アプリ監視部１２５が、アプリ１５が起動したと判定しなかった場合（ステップＳ４１においてＮＯ）、ステップＳ１３に移行する。
【０１１５】
また、アプリ監視部１２５が、アプリ１５が終了していないと判定すると（ステップＳ４３においてＮＯ）、再びステップＳ１３に移行する。
【０１１６】
（変形例）
通信アプリ起動処理の変形例について、図７を用いて、説明する。ここでは実施形態２の制御部１２ａの処理の流れと同様の処理については説明を省略する。
【０１１７】
本変形例においては、図６の（ｂ）に示すように、ステップＳ４２に続いて、アプリ監視部１２５は、アプリ１５の起動を検出すると、次に、アプリ１５の終了を判定する（ステップＳ４３ａ）。アプリ監視部１２５がアプリ１５の終了を判定しなかった場合（ステップＳ４３ａにおいてＮＯ）、アプリの未終了を示すアプリ未終了情報を通信状態判定部１２４に送信する。
【０１１８】
アプリ未終了情報を受信すると、通信状態判定部１２４は電子機器２からの送信データの受信が終了したかを判定する（ステップＳ４４ａ）。
【０１１９】
通信状態判定部１２４が送信データの受信が終了したと判定した場合（ステップＳ４４ａにおいてＹＥＳ）、短距離通信部１１２をＯＦＦにするように、通信ＯＮ/ＯＦＦ切替え部１２３に指示する。続いて、ステップＳ４５に移行する。
【０１２０】
なお、アプリ監視部１２５がアプリ１５の終了を判定した場合（ステップＳ４３ａにおいてＹＥＳ）、ステップＳ４４へ移行する。
【０１２１】
また、通信状態判定部１２４が送信データの受信が終了していないと判定した場合（ステップＳ４４ａにおいてＮＯ）、ステップＳ４３ａへ移行する。
【０１２２】
〔実施形態３〕
本発明の他の実施形態について、説明すれば、以下のとおりである。なお、説明の便宜上、前記実施形態にて説明した部材と同じ機能を有する部材については、同じ符号を付記し、その説明を省略する。
【０１２３】
本実施形態においては、電子機器２を、体重計以外の電子機器とした場合のバリエーションを示す。
【０１２４】
（電子機器２：睡眠計）
電子機器２を睡眠計としてもよい。
【０１２５】
上記の構成によれば、電子機器２は、ユーザが就寝中、長距離通信部２１１（例えば、Ｗｉ−Ｆｉ機能）をＯＦＦにし、短距離通信部２１２（例えば、Ｂｌｕｅｔｏｏｔｈ（登録商標）機能）を用いて、ユーザの睡眠データを、常時、携帯端末１に送信することができる。
【０１２６】
また、携帯端末１は、長距離通信部１１１をＯＦＦにし、短距離通信部１１２（例えば、Ｂｌｕｅｔｏｏｔｈ（登録商標）機能）を用いて、ユーザの睡眠データを、常時、電子機器２から受信することができる。
【０１２７】
したがって、ユーザの睡眠時間が７時間であれば、電子機器２および携帯端末１において７時間分のＷｉ−Ｆｉ機能の消費電力を抑制することができる。すなわち、電子機器２および携帯端末１の電池を長持ちさせることができる。
【０１２８】
（電子機器２：活動量計）
電子機器２を活動量計としてもよい。
【０１２９】
上記の構成によれば、例えば、ユーザがランニング中、電子機器２は、長距離通信部２１１（例えば、Ｗｉ−Ｆｉ機能）をＯＦＦにし、短距離通信部２１２（例えば、Ｂｌｕｅｔｏｏｔｈ（登録商標）機能）を用いて、活動量計が計測したデータを、常時、携帯端末１に送信することができる。
【０１３０】
また、携帯端末１は、長距離通信部１１１をＯＦＦにし、短距離通信部１１２（例えば、Ｂｌｕｅｔｏｏｔｈ（登録商標）機能）を用いて、活動量計のデータを、常時、電子機器２から受信することができる。
【０１３１】
したがって、電子機器２および携帯端末１においてユーザのランニング時間分のＷｉ−Ｆｉ機能の消費電力を抑制することができる。
【０１３２】
（電子機器２：ヘッドフォン）
電子機器２をヘッドフォンとしてもよい。
【０１３３】
電子機器２をヘッドフォンとした場合、圧力センサであるセンサ２３をイヤパッドに設置してもよい。
【０１３４】
上記の構成によれば、ユーザがヘッドフォンを着用すると、イヤパッドがユーザの耳と接触し、センサ２３は電子機器２に対する圧力値の変化を検出する。当該状態変化情報は、長距離通信部２１１（例えば、Ｗｉ−Ｆｉ機能）を介して携帯端末１（例えば、スマートフォン）に送信される。すなわち、電子機器２のユーザの使用方法に応じてセンサ２３の設置位置を決定することによって、センサ２３はユーザによる電子機器２の使用に伴ない、電子機器２の状態変化を検出することができるようになる。
【０１３５】
また、センサ２３に加速度センサ等を適用して、センサ２３が電子機器２の加速度値を検出する構成としてもよい。
【０１３６】
上記の構成によれば、例えば、ユーザが電子機器２を使用するために格納場所から取り出した場合、センサ２３は電子機器２の加速度の変化を検出することができる。したがって、ユーザの電子機器２の使用に伴い、本発明に係る電子機器２および携帯端末１のおける処理が実行可能となる。
【０１３７】
また、電子機器２の電源がＯＮになる前の予め設定した時間においてセンサ２３が電子機器２の変化を検出し、その後、電子機器２の電源がＯＮになった場合、当該変化の検出に応じて状態変化情報が携帯端末１に送信される構成であってもよい。
【０１３８】
上記の構成によれば、電子機器２がカバンなどから取り出され、その後、電子機器２の電源がＯＮになると、電子機器２の動きが電子機器２の変化として検出され、状態変化情報が携帯端末１（例えば、タブレットＰＣ等）に送信することができる。
【０１３９】
（電子機器２：携帯端末用ミニキーボード、マウス、血圧計等）
電子機器２は、携帯端末用ミニキーボード、マウス、血圧計等であってもよい。また、センサ２３は、加速度センサであってもよい。
【０１４０】
上記の構成によれば、携帯端末用ミニキーボード、マウス、血圧計などの電子機器２が使用のために収納場所から取り出された場合、センサ２３は電子機器２の動きを検出する。その後、状態変化情報が携帯端末１に送信される。
【０１４１】
また、ユーザが電子機器２を利用している間に、携帯端末１（例えば、タブレットＰＣ）の長距離通信部１１１（例えば、Ｗｉ−Ｆｉ機能）はＯＦＦとなっている。電子機器２を利用している間に、携帯端末１にインストールされている長距離通信部１１１を必要とするアプリ１５が起動されると、アプリ１５の起動が検出され、長距離通信部１１１がＯＮとなる。アプリ１５が終了すると、電子機器２との通信が確立しているか否かが確認される。電子機器２との通信が終了している場合、長距離通信部１１１はＯＮの状態を維持する。一方、電子機器２との通信が確立していない場合、長距離通信部１１１が自動にＯＦＦに切り替えられる。
【０１４２】
〔ソフトウェアによる実現例〕
携帯端末１、１ａおよび電子機器２の制御ブロック（特に制御部１２、１２ａおよび２２）は、集積回路（ＩＣチップ）等に形成された論理回路（ハードウェア）によって実現してもよいし、ＣＰＵ（Central Processing Unit）を用いてソフトウェアによって実現してもよい。
【０１４３】
後者の場合、携帯端末１、１ａおよび電子機器２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１４４】
〔まとめ〕
本発明の態様１に係る電子機器２は、通信方式の異なる第１の無線通信部（長距離通信部２１１）と第２の無線通信部（短距離通信部２１２）とを備えた電子機器であって、上記電子機器の状態変化を検出する検出手段（状態変化検出部２２１）と、上記状態変化の検出に応じて、上記状態変化が生じたことを示す状態変化情報を特定の携帯端末１に上記第１の無線通信部を用いて送信する送信手段（送信部２２２）と、上記状態変化情報に対する応答を上記特定の携帯端末から上記第１の無線通信部を用いて受信する受信手段（受信部２２３）と、上記応答の受信に応じて、上記第１の無線通信部を無効化すると共に上記第２の無線通信部を有効化する切替え手段（通信ＯＮ/ＯＦＦ切替え部２２４）と、上記第２の無線通信部の有効化に応じて、上記第２の無線通信部を用いた無線通信のための通信接続を上記携帯端末との間に確立する確立する確立手段（通信制御部２２０）と、を備えている。
【０１４５】
上記の構成によると、状変化情報に対する応答の受信に応じて、第１の無線通信部を無効にし、当該受信まで無効であった第２無線通信部を有効にする。すなわち、各無線通信部の必要性に応じて、第１の無線通信部および第２無線通信部の有効化または無効化が、適宜、行われる。したがって、必要でない無線通信部を無効にすることによって、消費電力を低減することができる。また、電子機器が行う上記一連の処理は、簡易な処理であるため、電子機器のＣＰＵ等の計算資源の一部が消費されてしまうことによって電子機器の動作が遅くなるといった問題を軽減する。
【０１４６】
また、状変化情報に対する応答に応じて、第１の無線通信部を無効にし、当該受信まで無効であった第２の無線通信部を有効にする処理を自動で行う。そのため、ユーザが電子機器を使用するたびに、無線通信機能を設定する必要が無くなり、電子機器の利便性が高まる。
【０１４７】
よって、電子機器の利便性を高めることができ、消費電力を低減することができる。
【０１４８】
本発明の態様２に係る電子機器は、上記態様１において、上記第１の無線通信部は、上記第２の無線通信部を用いた無線通信よりも通信エリアの広い長距離無線通信を行うものであり、上記第２の無線通信部は、上記第１の無線通信部を用いた無線通信よりも通信エリアの狭い短距離無線通信を行うものであってもよい。
【０１４９】
上記の構成によれば、長距離無線通信にて状態変化情報の送信および状変化情報に対する応答の受信を行い、短距離無線通信にてその他のデータの送信を行うことができる。
【０１５０】
本発明の態様３に係る電子機器は、上記態様１または２において、上記状態変化は、当該電子機器に作用する圧力の変化であってもよい。
【０１５１】
上記の構成によれば、ユーザの電子機器の使用に伴う圧力値の変化をトリガーとして、電子機器に上記の一連の処理を始動させることができる。
【０１５２】
本発明の態様４に係る電子機器は、上記態様１または２において、上記状態変化は、当該電子機器の加速度の変化であってもよい。
【０１５３】
上記の構成によれば、電子機器の移動に伴う加速度値の変化をトリガーとして、電子機器の上記の一連の処理を始動させることができる。
【０１５４】
本発明の態様５に係る電子機器は、上記態様１から４の何れか１つにおいて、上記送信手段が上記状態変化情報を送信してから予め定められた時間内に上記受信手段が上記応答を受信しなかった場合、上記送信手段は、上記状態変化情報を上記特定の携帯端末に上記第１の無線通信部を用いて再送信してもよい。
【０１５５】
上記の構成によれば、状態変化情報の送信から予め定められた時間内に応答が受信されなかった場合、特定の携帯端末に状態変化情報を再送信することができる。
【０１５６】
本発明の態様６に係る携帯端末１および１ａは、通信方式の異なる第１の無線通信部（長距離通信部１１１）と第２の無線通信部（短距離通信部１１２）とを備えた携帯端末であって、電子機器２において状態変化が生じたことを示す状態変化情報を上記第１の無線通信部を用いて上記電子機器から受信する受信手段（受信部１２１）と、上記状態変化情報の受信に応じて、上記状態変化情報に対する応答を上記第１の無線通信部を用いて上記電子機器に送信する送信手段（送信部１１２）と、上記状態変化情報の受信に応じて、上記第１の無線通信部を無効化すると共に上記第２の無線通信部を有効化する切替え手段（通信ＯＮ/ＯＦＦ切替え部１２３）と、を備えている。
【０１５７】
上記の構成によると、状態変化情報の受信に応じて、第１の無線通信部を無効にし、当該受信まで無効であった第２の無線通信部を有効にする。すなわち、各無線通信部の必要性に応じて、第１の無線通信部および第２無線通信部の有効化または無効化が、適宜、行われる。したがって、必要でない無線通信部を無効にすることによって、消費電力を低減することができる。また、携帯端末が行う上記一連の処理は、簡易な処理であるため、携帯端末のＣＰＵ等の計算資源の一部が消費されてしまうことによって電子機器の動作が遅くなるといった問題を軽減する。
【０１５８】
また、状態変化情報の受信に応じて、上記第１の無線通信部を無効にし、当該受信まで無効であった第２の無線通信部を有効にする処理を携帯端末が自動で行う。そのため、ユーザが携帯端末を使用するたびに、無線通信機能を設定する必要が無くなり、携帯端末の利便性が高まる。
【０１５９】
よって、携帯端末の利便性を高めることができ、消費電力を低減することもできる。
【０１６０】
本発明の態様７に係る携帯端末は、上記態様６において、上記送信手段が上記応答を送信してから予め定められた時間内に上記第２の無線通信部を用いた無線通信のための通信接続が上記電子機器との間に確立されなかった場合、上記切替え手段は上記第１の無線通信部を有効化すると共に、上記第２の無線通信部を無効化し、上記送信手段は、上記応答を上記電子機器に上記第１の無線通信部を用いて再送信してもよい。
【０１６１】
上記の構成によれば、受信情報の送信から予め定められた時間内において電子機器との通信が確立しなかった場合、電子機器に当該応答を再送信することができる。
【０１６２】
本発明の態様８に係る携帯端末１ａは、上記態様６または７において上記状態変化情報の受信に応じて上記第１の無線通信部が無効化された後に、上記第１の無線通信部を利用するアプリケーション（アプリ１５）が起動された場合、上記切替え手段は、上記第１の無線通信部を再有効化してもよい。
【０１６３】
上記の構成によれば、第１通信関連アプリが起動した場合、ユーザ自身が第１の無線通信部の機能を有効に設定することなく、自動に第１の無線通信部の機能が有効となる。したがって、携帯端末の利便性を高めることができる。
【０１６４】
本発明の態様９に係る通信システム３は、態様１から５の何れか１つの電子機器と、態様６または７の携帯端末とを含む。
【０１６５】
上記の構成によると、当該通信システムは、態様１から５の何れか１つの電子機器と、態様６または７の携帯端末とを含むことができる。
【０１６６】
本発明の態様１０に係る電子機器の制御方法は、通信方式の異なる第１の無線通信部と第２の無線通信部とを備えた電子機器の制御方法であって、
上記電子機器の状態変化を検出する検出ステップ（ステップＳ２２）と、上記状態変化の検出に応じて、上記状態変化が生じたことを示す状態変化情報を特定の携帯端末に上記第１の無線通信部を用いて送信する送信ステップ（ステップＳ２４）と、上記状態変化情報に対する応答を上記特定の携帯端末から上記第１の無線通信部を用いて受信する受信ステップ（ステップＳ２５）と、上記応答の受信に応じて、上記第１の無線通信部を無効化すると共に上記第２の無線通信部を有効化する切替えステップ（ステップＳ２６）と、上記第２の無線通信部の有効化に応じて、上記第２の無線通信部を用いた無線通信のための通信接続を上記携帯端末との間に確立する確立する確立ステップ（ステップＳ２７）と、を含んでいる。上記の構成によれば、態様１と同様の効果を奏する。
【０１６７】
本発明の態様１１に係る携帯端末の制御方法は、通信方式の異なる第１の無線通信部と第２の無線通信部とを備えた携帯端末の制御方法であって、電子機器において状態変化が生じたことを示す状態変化情報を上記第１の無線通信部を用いて上記電子機器から受信する受信ステップ（ステップＳ３）と、上記状態変化情報の受信に応じて、上記状態変化情報に対する応答を上記第１の無線通信部を用いて上記電子機器に送信する送信ステップ（ステップＳ５）と、上記状態変化情報の受信に応じて、上記第１の無線通信部を無効化すると共に上記第２の無線通信部を有効化する切替えステップ（ステップＳ６）と、を含んでいる。上記の構成によれば、態様６と同様の効果を奏する。
【０１６８】
本発明の各態様に係る電子機器および携帯端末は、コンピュータによって実現してもよく、この場合には、コンピュータを上記電子機器および携帯端末が備える各手段として動作させることにより上記電子機器および携帯端末をコンピュータにて実現させる電子機器および携帯端末の制御プログラム、およびそれを記録したコンピュータ読み取り可能な記録媒体も、本発明の範疇に入る。
【０１６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１７０】
本発明は、電子機器と携帯端末を含む通信システムに利用することができる。
【符号の説明】
【０１７１】
１，１ａ  携帯端末
２  電子機器
３  通信システム
１５  アプリ（アプリケーション）
１１１  長距離通信部（第１の無線通信部）
１１２  短距離通信部（第２の無線通信部）
１２１  受信部（受信手段）
１２２  送信部（送信手段）
１２３  通信ＯＮ/ＯＦＦ切替え部（切替え手段）
１２４  通信状態判定部
２１１  長距離通信部（第１の無線通信部）
２１２  短距離通信部（第２の無線通信部）
２２０  通信制御部（確立手段）
２２１  状態変化検出部（検出手段）
２２２  送信部（送信手段）
２２３  受信部（受信手段）
２２４  通信ＯＮ/ＯＦＦ切替え部（切替え手段）
【図１】
2015211437.tif 000003
【図２】
2015211437.tif 000004
【図３】
2015211437.tif 000005
【図４】
2015211437.tif 000006
【図５】
2015211437.tif 000007
【図６】
2015211437.tif 000008
【図７】
2015211437.tif 000009